(57)【要約】      （修正有）【課題】建物屋上に備え付けられているタンクを利用して水の循環サイクルを構築し、ヒートアイランド現象・地球温暖化を食い止める。【解決手段】壁面を有する建物の上部に置かれ雨水を貯留する第１の雨水貯留槽４１０と、第１の雨水貯留槽４１０より低い位置に置かれ雨水を貯留する第２の雨水貯留槽５０７と、第２の雨水貯留槽５０７に貯留された雨水を第１の雨水貯留槽４１０に移動させる圧送ポンプ１０３及び雨水揚水管とを備え、第１の雨水貯留槽４１０に貯留された雨水を、建物の上部周縁部に放出する放出手段により、流量制御手段により制御しながら、建物の壁面に雨水（液体）の膜を形成することを特徴とする。【選択図】  図３
2008144375.tif 000002
【特許請求の範囲】
【請求項１】
壁面を有する建物の上部に置かれ液体を貯留する第１貯留手段と、前記第１貯留手段より低い位置に置かれ液体を貯留する第２貯留手段と、前記第２貯留手段に貯留された液体を前記第１貯留手段に移動させる液体移動手段と、を備えた壁面冷却システムであって、
前記第１貯留手段に貯留された液体を前記建物の上部周縁部に放出する放出手段と、
前記放出手段により放出される液体の流量を制御する流量制御手段と、
前記液体移動手段および／または前記流量制御手段を制御するシステム制御手段と、
を更に備え、
前記建物の壁面に前記液体の膜を形成することを特徴とする、前記壁面冷却システム。
【請求項２】
前記システム制御手段は、前記流量制御手段が制御する流出開始時刻および停止時刻を設定可能であり、設定された前記開始時刻および停止時刻に基づき、前記流量制御手段を制御する、請求項１に記載の壁面冷却システム。
【請求項３】
前記建物の外気温を測定し、測定結果を示す信号を前記システム制御手段に送信する外気温測定手段を更に備え、前記システム制御手段は、前記外気温測定手段により測定された外気温に基づき、前記液体移動手段および前記流量制御手段を制御する、請求項１に記載の壁面冷却システム。
【請求項４】
前記第１貯留手段内に液体が満たされているか否かを検知し、検知結果を示す信号を前記システム制御手段に送信する第１検知手段を更に備え、前記システム制御手段は、前記第１検知手段により検知された液体レベルに基づき、前記液体移動手段および前記流量制御手段を制御する、請求項１に記載の壁面冷却システム。
【請求項５】
前記第１貯留手段内の液体の温度を測定し、測定結果を示す信号を前記システム制御手段に送信する液温検知手段を更に備え、前記システム制御手段は、前記液温検知手段により測定された液温に基づき、前記液体移動手段および前記流量制御手段を制御する、請求項１に記載の壁面冷却システム。
【請求項６】
前記第１貯留手段内に液体が入っているか否かを検知し、検知結果を示す信号を前記システム制御手段に送信する第２検知手段を更に備え、前記システム制御手段は、前記第２検知手段により検知された液体レベルに基づき、前記液体移動手段および前記流量制御手段を制御する、請求項１に記載の壁面冷却システム。
【請求項７】
前記放出手段は、有孔管と、前記有孔管の孔に連結されるシャワーヘッドと、を含む、請求項１に記載の壁面冷却システム。
【請求項８】
前記放出手段は、有孔管と、前記有孔管に一端が連結され他端が前記壁面下方に伸びる補助管と、前記補助管の前記他端に連結され、前記建物の凹凸部分に液体を霧状放出するスプレーガンと、を含む、請求項１に記載の壁面冷却システム。
【請求項９】
前記建物の排出管から排出される液体を前記第２貯留手段に分岐する分岐手段と、前記分岐手段により分岐される液体から異物を除去する異物除去手段と、を更に備える、請求項１に記載の壁面冷却システム。
【請求項１０】
前記第２貯留手段内に液体が満たされているか否かを検知し、検知結果を示す信号を前記システム制御手段に送信する第３検知手段を更に備え、前記システム制御手段は、前記第３検知手段により検知された液体レベルに基づき、前記液体移動手段および前記流量制御手段を制御する、請求項１に記載の壁面冷却システム。
【請求項１１】
前記第２貯留手段内に液体が入っているか否かを検知し、検知結果を示す信号を前記システム制御手段に送信する第４検知手段を更に備え、前記システム制御手段は、前記第４検知手段により検知された液体レベルに基づき、前記液体移動手段および前記流量制御手段を制御する、請求項１に記載の壁面冷却システム。
【請求項１２】
液体を前記第２貯留手段内に補給する補給手段を更に備え、前記システム制御手段は、前記第２貯留手段内の液体レベルを上昇させるように前記補給手段を制御する、請求項１に記載の壁面冷却システム。
【請求項１３】
前記液体移動手段により前記第２貯留手段から前記第１貯留手段に液体を移動させるとき、前記第２貯留手段の底部に蓄積する異物を排除する異物排除手段を更に備える、請求項１に記載の壁面冷却システム。
【請求項１４】
前記第２貯留手段に連結され、前記第２貯留手段内の液体を排出する排出手段を更に備える、請求項１に記載の壁面冷却システム。
【請求項１５】
上部から液体を下方に排出する排出口を備えた建物を冷却するシステムであって、
前記建物の上部より高い位置に置かれ前記液体を貯留する第１貯留手段と、
前記第１貯留手段より下方に置かれ、前記排出口を含む平面で底面を形成し、前記底面上に液体を貯留する第２貯留手段と、
前記排出口に設置され、前記液体の排出位置を高くする液位上昇手段と、
前記第１貯留手段に貯留された液体を前記第２貯留手段に向けて流出する流出手段と、
前記流出手段により流出される液体の流量を制御する第１流量制御手段と、
前記第１流量制御手段を制御するシステム制御手段と、
を更に備え、
前記システム制御手段は、前記第１流量制御手段を制御することにより、前記第２貯留手段の前記底面に前記液体の膜を形成することを特徴する、前記建物冷却システム。
【請求項１６】
前記システム制御手段は、前記第１流量制御手段が制御する流出開始時刻および停止時刻を設定可能であり、設定された前記開始時刻および停止時刻に基づき、前記第１流量制御手段を制御する、請求項１５に記載の壁面冷却システム。
【請求項１７】
前記第２貯留手段内に液体が満たされているか否かを検知し、検知結果を示す信号を前記システム制御手段に送信する検知手段を更に備え、前記システム制御手段は、前記検知手段により検知された液体レベルに基づき、前記液体移動手段および前記第１流量制御手段を制御する、請求項１５に記載の壁面冷却システム。
【請求項１８】
前記排出口から排出される液体の流量を制御する第２流量制御手段を更に備え、前記システム制御手段は、前記第２流量制御手段の作動開始及び終了時刻を制御する、請求項１５に記載の建物冷却システム。
【請求項１９】
前記流出手段は、有孔管と、前記有孔管の一つの孔に一端が連結され他端が前記建物内に設置されたエアコンの室外機まで伸びる補助管と、前記補助管に連結され前記室外機のフィンに向けて液体を散布するシャワーヘッドと、を含む、請求項１５に記載の建物冷却システム。
【請求項２０】
前記流出手段に連結される第３流量制御手段を更に備え、前記制御手段は、前記第３流量制御手段の作動開始及び終了時刻を制御する、請求項１５に記載の建物冷却システム。
【発明の詳細な説明】
【技術分野】
【０００１】
本発明は、打ち水効果を利用した建物の壁面冷却システムおよび建物冷却システムに関する。
【背景技術】
【０００２】
近年、東京都を中心とした地域が都心化に進むにつれ、建物が密集し、路面がアスファルトで覆われていることから、降り注いだ雨水の行き場所が確保出来ずにいる。また、ヒートアイランド現象が起因となる異常気象、「局部集中豪雨」の発生率も毎年多くなっている。現在、下水道終末処理施設では、こうした事態により下水処理量が許容を上回る傾向にあり、度重なる集中豪雨時には、機能停止に追い込まれている。そこで各自治体では条例で「雨水流出抑制」を制定し、主に新規開発地において、敷地面積に比例した雨水を抑制させる義務付けを行っている。抑制させる方法は２種類ある。
【０００３】
第１の抑制方法は、「敷地の廻りに雨水浸透施設を設けること」である。第２の抑制方法は、「雨水貯留槽を設けること」である。これら２つの抑制方法により、敷地から発生する雨水を同敷地内で一時的に抑制し、下水道終末処理施設の下水処理量をコントロールしていく（http://www.gesui.metro.tokyo.jp/kanko/kankou/gyoumu/usuishintou.pdf）。
【０００４】
しかしながら、こうした条例を推進するためには、少なからず相当の設備を設けなければならず、ひいては施主に負担を強いることになる。また、既に建築された建物には原則適用されないので、推進といっても遅々として進んでいないのが現状である。
【０００５】
ところで、国内外を問わず、都市部には屋上にＦＲＰ（Fiber ReinforcedPlastics：繊維強化プラスチック）製タンクが備え付けられている建物（ビルやマンションなど）が無数に存在する。ＦＲＰは、軽くて強く、耐薬品性、耐食性、断熱性が高いので、建物の居住者の飲料水や生活用水を貯水するために使用されてきた。
【０００６】
近年、設備の刷新に伴い、このタンク自体が不要になるケースが増えている。前述したＦＲＰの特性は、廃棄処分が困難であることを裏付ける。事実、タンクの撤去には、高額な経費がかかるため、手付かで放置することがほとんどである。また、タンクを撤去する場合でも、タンク自体がかなり大きく、頑丈に構成されているので、廃棄処分の場所や方法に限界がある。
【０００７】
図１は、従来の直圧給水方式を使用する典型的な建物を示す側面図である。直圧給水方式が適用された建物１００は、圧送ポンプ１０３、受水槽１０４、揚水管１０５、高架水槽１０６を使用する。
【０００８】
この給水方式では、地中に埋設された水道本管１０１から公設水道メーター１０２を介して受水槽１０４に配管されている。受水槽１０４は、ＦＲＰで形成され、水道本管１０１の水圧だけでは水を十分に供給できない集合住宅の為に使用される。受水槽１０４には、圧送ポンプ１０３を介して揚水管１０５が連結されている。揚水管１０５は、錆びにくく、外観が良い材質（例えば、鋼管、ビニル管）で形成され、建物１００の屋上部に設置された高架水槽１０６に連結されている。圧送ポンプ１０３は、受水槽１０４に蓄えられた水を高架水槽１０６まで圧送する。圧送された水は、高架水槽１０６に蓄えられ、自然流下により、建物内の各階の各所帯に供給される。
【０００９】
図２は、直圧給水方式を残したまま増圧給水方式を使用する建物を示す側面図である。
【００１０】
図１に示す直圧給水方式との違いは、直結加圧型ポンプユニット（加圧ポンプ２０８）を設置している点である。加圧ポンプ２０８により、水道本管１０１から送られる水を中高層建物の各階へ直接供給することができる。増圧給水方式では、水道本管１０１から建物内の各階の各所帯に直接給水されるので、衛生的であり、受水槽１０４や高架水槽１０６が不要になる。
【発明の開示】
【発明が解決しようとする課題】
【００１１】
増圧給水方式が普及した今日、不要となった受水槽１０４と高架水槽１０６の処理が社会的な問題になっている。なぜなら、撤去するには膨大な撤去費用がかかり、また、撤去された頑丈なタンクの廃棄処分が難しいからである。また、撤去せずに、そのまま、放置する場合、建物の外観を損ねるだけでなく、建物の耐震強度を損なうことになる。また、放置された頑丈なタンクは、汚染の原因になるので、メンテナンスが必要になる。
【００１２】
ところで、「夏は暑いのがあたり前！」であるが、近年の都市部における夏の暑さと集中豪雨は、異常な様相を呈している。特に東京における年平均気温は、過去１００年で３．０℃の上昇がみられ、他の大都市の平均上昇気温２．４℃、中小規模の都市の平均上昇気温１℃に比べても大きな上昇となっている。この気温上昇の原因には、地球温暖化だけでなく、ヒートアイランド現象があり、ますます都市温暖化の傾向が顕著になりつつある。
【００１３】
地球温暖化
18世紀後半あたりから、産業活動が活発になり、石炭や石油などを大量に消費するようになった。大気中の二酸化炭素の量は、２００年前と比べ約３０％増加し、二酸化炭素・メタン・フロン類などの温室効果ガスが大量に排出され、大気中の濃度が高まり熱の吸収が増えた結果、気温が上昇し始めている。
【００１４】
このまま人類の活動が同じように推移すると、21世紀末には二酸化炭素濃度は現在の2倍以上となり、地球の平均気温は今より１．４〜５．８℃上昇するといった予測もされている。かつてない猛暑だと言われた１９９８年でも、平均気温は例年の約1℃だけ高かっただけである。このように、わずかな気温の上昇によっても、死活問題にもなりうる影響が現れてくる。
【００１５】
温暖化が進むと人間の体感温度が上がるという問題だけでなく、食糧問題、自然災害、経済問題など様々な問題が起こることになる。
【００１６】
ヒートアイランド現象
ヒートアイランド現象は、工場や車から吐き出される排気ガスだけでなく、オフィスビル・住宅等からの影響が一因と考えられる。つまり、夏日にエアコンをフル稼働させ、室内温度を下げようとすることで、室外機が熱風を吐き出し気温が上昇する。これをどこかで断ち切らなければ、永久にヒートアイランド現象の根源は、消えないということになる。
【００１７】
また、アスファルトは昼間の太陽の熱射で深層まで高温となり、夜間に蓄積された熱が放出される。樹木は大量の水を空気中に吐き出し、緑地面積が小さくなると植物や地表からの水分の蒸発量減少し、蒸発潜熱が減少する。さらに、人口の集中により各種のエネルギーの使用量が増え、排熱量が増加している。また更に、高層建物などの壁面で多重反射するため、都市の構造物が加熱され易くなる。
【００１８】
様々な取り組み
これらの問題に対処するため、深刻なヒートアイランド現象や地球温暖化を受け、全国で、世界で、様々な取り組みが行われている。例えば、ネクタイを外し、上着を身に着けないことで、エアコンの設定温度を２８℃に固定する取り組み、体感温度をコントロールし、室内温度を一定化し、外気の上昇やエネルギー消費が下降するようにする取り組みがある。
【００１９】
そこで、本発明は、現在、多くの建物（ビル・マンション）の屋上部分に備え付けられている（新設も含む）タンクを有効利用し、水との循環サイクルを構築し、ヒートアイランド現象・地球温暖化を食い止めることを目的とする。
【課題を解決するための手段】
【００２０】
本発明の第１の実施態様は、壁面を有する建物の上部に置かれ液体を貯留する第１貯留手段と、第１貯留手段より低い位置に置かれ液体を貯留する第２貯留手段と、第２貯留手段に貯留された液体を第１貯留手段に移動させる液体移動手段と、を備えた壁面冷却システムであって、第１貯留手段に貯留された液体を建物の上部周縁部に放出する放出手段と、放出手段により放出される液体の流量を制御する流量制御手段と、液体移動手段および／または放出量制御手段を制御するシステム制御手段と、を更に備え、建物の壁面に液体の膜を形成することを特徴とする。
【００２１】
第１貯留手段は、液体（雨水、水道水、井戸水など）を貯める機能を有する。例えば、既設高架水槽、ＦＲＰタンクは、第１貯留手段として使用可能である。
【００２２】
第２貯留手段も同様に、液体を貯める機能を有する。例えば、受水槽、ＦＲＰタンクは、第２貯留手段として使用可能である。
【００２３】
液体移動手段は、圧力をかけて液体を高所に送る機能を有する。例えば、既設圧送ポンプ、多段渦巻ポンプは、液体移動手段として使用可能である。
【００２４】
放出手段は、第１貯留手段から液体を建物の上部周縁部に放出する機能を有する。例えば、管、バルブは、放出手段として使用可能である。
【００２５】
流量制御手段は、放出される液体の流量を制御する機能を有する。例えば、電磁弁は、流量制御手段として使用可能である。
【００２６】
システム制御手段は、第１貯留手段、第２貯留手段、液体移動手段、放出手段、流量制御手段を用いて、いわゆる「打ち水」の原理を建物に適用する機能を有する。例えば、ＣＰＵ、タイマー、信号の入出力装置を備えた制御盤は、システム制御手段として使用可能である。
【００２７】
本発明の第１の実施形態に係る壁面冷却システムのシステム制御手段は、流量制御手段が制御する流出開始時刻や停止時刻を設定可能とすることができる。この場合、システム制御手段は、設定された開始時刻、停止時刻に流量制御手段を制御する。
【００２８】
本発明の第１の実施形態に係る壁面冷却システムは、外気温測定手段を更に備えてもよい。この場合、システム制御手段は、外気温測定手段が測定した外気温に基づく制御が可能になる。
【００２９】
本発明の第１の実施形態に係る壁面冷却システムは、第１貯留手段内の液体のレベルを検知する為に第１検知手段、第２検知手段を更に備えてもよい。この場合、システム制御手段は、第１検知手段及び第２検知手段により検知された液体レベルに基づく制御が可能になる。
【００３０】
本発明の第１の実施形態に係る壁面冷却システムは、第１貯留手段により貯留される液体の温度を測定する液温検知手段を更に備えてもよい。この場合、システム制御手段は、測定された液温に基づく制御が可能になる。
【００３１】
本発明の第１の実施形態に係る壁面冷却システムの放出手段は、有孔管とシャワーヘッドを含んで構成されてもよい。この場合、放出手段による均一かつ一様な液体放出が可能になる。
【００３２】
本発明の第１の実施形態に係る壁面冷却システムの放出手段は、有孔管、補助管、スプレーガンを含んで構成されてもよい。この場合、放出手段により、建物の凹部、非平坦部に局所的放出が可能になる。
【００３３】
本発明の第１の実施形態に係る壁面冷却システムは、分岐手段と異物除去手段を更に備えてもよい。この場合、壁面を冷却する為に利用可能な雨水等の排水を有効に確保することができる。
【００３４】
本発明の第１の実施形態に係る壁面冷却システムは、第２貯留手段内に液体レベルを検知する為に第３検知手段及び第４検知手段を更に備えてもよい。この場合、システム制御手段は、第３検知手段及び第４検知手段により検知された液体レベルに基づく制御が可能である。
【００３５】
本発明の第１の実施形態に係る壁面冷却システムは、第２貯留手段に液体を補給する補給手段を更に備えてもよい。この場合、システム制御手段は、第２貯留手段内の液体のレベルを上昇させることが可能になる。
【００３６】
本発明の第１の実施形態に係る壁面冷却システムは、第２貯留手段の底部に蓄積する異物を排除する為に異物排除手段を更に備えてもよい。これにより、良質な液体だけが第１貯留手段に移動される。
【００３７】
本発明の第１の実施形態に係る壁面冷却システムは、第２貯留手段内の液体を排出する為に排出手段を更に備えてもよい。これにより、必要に応じて第２貯留手段の内部を空にすることができる。
【００３８】
本発明の第２の実施態様は、上部から液体を下方に排出する排出口を備えた建物を冷却するシステムであって、建物の上部より高い位置に置かれ液体を貯留する第１貯留手段と、第１貯留手段より下方に置かれ、排出口を含む平面で底面を形成し、底面上に液体を貯留する第２貯留手段と、排出口に設置され、液体の排出位置を高くする液位上昇手段と、第１貯留手段に貯留された液体を第２貯留手段に向けて流出する流出手段と、流出手段により流出される液体の流量を制御する第１流量制御手段と、第１流量制御手段を制御するシステム制御手段と、を更に備え、システム制御手段は、第１流量制御手段を制御することにより、第２貯留手段の底面に液体の膜を形成することを特徴する。
【００３９】
第１貯留手段は、液体（雨水、水道水、井戸水など）を貯める機能を有する。例えば、既設高架水槽、ＦＲＰタンクは、第１貯留手段として使用可能である。
【００４０】
第２貯留手段も同様に、液体を貯める機能を有する。第１実施形態の第２貯留手段と異なり、平坦な底面を有する入れ物であることが望ましい。
【００４１】
液位上昇手段は、排出位置を第２貯留手段の底面より上昇させる機能を有する。例えば、排出口の廻りに密着したつばは、液位上昇手段として使用可能である。つばの厚さが数ｃｍであれば、数ｃｍだけ排出口は上昇する。第２貯留手段は、この上昇分だけ液体を蓄えることができる。
【００４２】
流出手段は、第１貯留手段から液体を第２貯留手段に向けて流出する機能を有する。例えば、管、バルブは、流出手段として使用可能である。
【００４３】
第１流量制御手段は、流出される液体の流量を制御する機能を有する。例えば、電磁弁は、第１流量制御手段として使用可能である。
【００４４】
システム制御手段は、第１貯留手段、第２貯留手段、液位上昇手段、流出手段、第１流量制御手段を用いて、いわゆる「屋上のプール化」を図る。例えば、ＣＰＵ、タイマー、信号の入出力装置を備えた制御盤は、システム制御手段として使用可能である。
【００４５】
本発明の第２の実施形態に係る建物冷却システムのシステム制御手段は、第１流量制御手段が制御する開始時刻と停止時刻を設定可能にしてもよい。この場合、システム制御手段は、設定された開始時刻、停止時刻に流量制御手段を制御することができる。
【００４６】
本発明の第２の実施形態に係る建物冷却システムは、第２貯留手段内に液体が満たされているかを検知する為に検知手段を更に備えてもよい。この場合、システム制御手段は、液体が満たされていないとき、液体移動手段や流量制御手段を制御することができる。
【００４７】
本発明の第２の実施形態に係る建物冷却システムは、排出口から排出される液体の流量を制御する第２流量制御手段を更に備えてもよい。この場合、システム制御手段は、第２流量制御手段の作動開始及び終了時刻を制御する。
【００４８】
本発明の第２の実施形態に係る建物冷却システムの流出手段は、有孔管、補助管、シャワーヘッドを含んで構成されてもよい。この場合、室外機の特定部位に対し、流出手段による均一かつ一様な液体放出が可能になる。
【００４９】
本発明の第２の実施形態に係る建物冷却システムは、流出手段に接続された第３流量制御手段を更に備えてもよい。この場合、システム制御手段は、流出手段の時間的制御が可能になる。
【００５０】
以下、添付図面を参照して本発明の一実施形態に係る壁面冷却システムおよび建物冷却システムを説明する。説明にあたり、同一要素には同一符号を使用し、重複する説明は省略する。
【００５１】
したがって、図１〜図９に示された実施形態に係る発明の説明において、いずれかの図の参照符号に基づく説明事項は、他の図において共通する符号がある限り、その図に示された実施形態に適用可能である。
【発明の効果】
【００５２】
本発明によると、建物や、その壁面を効率よく冷却することができる。そのため、ヒートアイランド現象の原因と考えられる夜間の蓄積熱の放出量を減少させることができ、建物自体の加熱を抑えることができる。また、打ち水効果を利用して建物や壁面を冷却するため、僅かなエネルギーで建物や壁面を冷却することができる。    
【００５３】
ここで、打ち水効果とは、水をまくことによって奪われる気化熱が気温を下げるという現象である。独立法人土木研究所の試算によると、例えば東京都内で散水可能な場所に１平方メートルにつき１リットルずつ水が撒かれたならば、気温は全体で２℃下がると言われている。本発明を普及させることにより、地球温暖化の原因となる温室効果ガス（ＣＯ２等）の削減に多大な貢献をすることが可能である。
【００５４】
さらに、建物に高架水槽や受水槽が既に設置されている場合、これらを撤去する費用や廃棄物処理の問題を引き起こすことなく、これらの設備を有効に利用することができる。      
【００５５】
よって、本発明は、水との循環サイクルの構築が可能であるので、ヒートアイランド現象・地球温暖化を食い止めるモデルになる。
【発明を実施するための最良の形態】
【００５６】
〔第１実施形態：壁面打ち水システム〕
【００５７】
図３は、本発明の第１実施形態に係る壁面打ち水システムの概要を示す側面図、図４は、その壁面打ち水システムに使用可能な第１の雨水貯留槽の一実施例を示す図、図５は、その壁面打ち水システムに使用可能な第２の雨水貯留槽の一実施例を示す図である。
【００５８】
本発明の第１実施形態に係る壁面打ち水システムは、
壁面を有する建物３０９の上部に置かれ雨水（液体）を貯留する第１の雨水貯留槽４１０（第１貯留手段）と、第１の雨水貯留槽４１０（第１貯留手段）より低い位置に置かれ雨水（液体）を貯留する第２の雨水貯留槽５０７（第２貯留手段）と、第２の雨水貯留槽５０７（第２貯留手段）に貯留された雨水（液体）を第１の雨水貯留槽４１０（第１貯留手段）に移動させる雨水ポンプ５１８および雨水揚水管４０１（液体移動手段）と、を備えた壁面冷却システムであって、
第１の雨水貯留槽４１０（第１貯留手段）に貯留された雨水（液体）を建物の上部周縁部に放出する流出本管４１８及び放水用ヘッダー４２４及びシャワーヘッド４２５（放出手段）と、
流出本管４１８及び放水用ヘッダー４２４及びシャワーヘッド４２５（放出手段）により放出される雨水（液体）の流量を制御するゲートバルブ４１９および電磁弁４２０（流量制御手段）と、
雨水ポンプ５１８（液体移動手段の一部）と電磁弁４２０（流量制御手段の一部）を制御する制御盤８０１（システム制御手段）と、
を更に備え、
制御盤８０１（システム制御手段）は、雨水ポンプ５１８（液体移動手段の一部）および／または電磁弁４２０（流量制御手段の一部）を制御することにより、建物の壁面に雨水（液体）の膜を形成することを特徴とする。
【００５９】
第１の雨水貯留槽（高架水槽）廻り：４００
雨水揚水管４０１は、第２の雨水貯留槽５０７から雨水ポンプ５１８により送られた雨水を第１の雨水貯留槽４１０に流入させるための管であり、建物の壁面に沿って、配管されている。雨水揚水管４０１の材質は、「錆びないもの」「外観が良いもの」であれば鋼管でもビニル管でもよい。建物の屋上付近の雨水揚水管４０１には、ゲートバルブ４０３が設置されている。ゲートバルブ４０３は、通常は「開」の状態にされ、第１の雨水貯留槽４１０の清掃・メンテナンス時、また、将来、第１の雨水貯留槽４１０の撤去・移設の時に閉じられる。
【００６０】
ゲートバルブ４０３の下流側には、ゲートバルブ付き大流入管４０４と、ゲートバルブ付きボールタップ用流入管４０５が連結されている。第１の雨水貯留槽４１０への流入は、大流入管４０４とボールタップ用流入管４０５により行われる。大流入管４０４は、通常、φ４０〜φ１００くらいの口径が妥当である。この口径は、第１の雨水貯留槽４１０が一時間以内に満水出来る流量を目安に算出可能である。大流入管４０４のゲートバルブは、緊急停止用のため、通常は「開」の状態である。
【００６１】
ボールタップ用流入管４０５は、第１の雨水貯留槽４１０への流入機能だけでなく、第１の雨水貯留槽４１０が満水時、ボールタップ４０８のボール部分が水平になることによって、流入を停止させる機能を持つ。ボールタップ用流入管４０５が大口径であると、停止時にウォーターハンマ（水撃）現象が起こるため、小口径のボールタップ用流入管が必要となる。そのため、ボールタップ用流入管４０５の口径はφ２０が妥当である。ボールタップ用流入管４０５のゲートバルブは、通常は「開」の状態であり、メンスナンスのときに閉じられる。
【００６２】
ボールタップ用流入管４０５の更なる下流側には、エア抜き弁４０７とエア抜き弁メンテナンス用ゲートバルブ４０６が設置されている。エア抜き弁メンテタンス用ゲートバルブ４０６は、常時開になっており、主にエア抜き弁４０７の交換時に「閉」にされる。エア抜き弁４０７は、雨水揚水管４０１の中に溜まるエアに起因した爆発現象を防止する。
【００６３】
既設高架水槽から雨水貯水槽に転用して第１の雨水貯留槽４１０を構成することが可能である。高架水槽は、本来、上水を貯水する目的で存在していたものだが、増圧ポンプへと給水方式が変わる過程で不要となる。これを撤去するとなると、莫大な撤去解体費がかかるため、たいていは、機能停止のまま放置してしまうことが多い。また、材質がＦＲＰ（FRP：Fiber Reinforced Plastics の略）のため、撤去処分するも、その処分方法は、産廃業者に委託して、埋め立てされてしまう。また、他の建物で再利用する方法もあるが、我が国では、飲用に関わる製品には新品を好む傾向があり、清掃をして再利用したというケースは皆無である。そこで、今回の発明では、処分しようにも出来ないこの高架水槽に雨水を貯留させ、別の機能として復活させることができるので、リサイクル、環境保存に有意義である。
【００６４】
なお、既設高架水槽を第１の雨水貯留槽４１０として再利用する場合には、第１の雨水貯留槽４１０に「雨水貯留槽」のシール４０９を貼付する。この場合、第１の雨水貯留槽４１０は、もともと、上水（飲用可能）を一時貯水するものだったため、雨水（飲用不可）に切り替わった事情を知らない者たちに注意を促す為である。
【００６５】
第１の雨水貯留槽４１０の上部には、オーバーフロー管４１１が連結されている。オーバーフロー管４１１は、本発明に係る壁面冷却システムの故障等により、ボールタップ４０８で流入を停止出来なかった場合、このオーバーフロー管４１１で、一時的に排出することができる。排出された雨水は、屋上面に流出し、そのまま屋上の排水口へと流れる。なお、オーバーフロー管４１１には、ゲートバルブが無く、第１の雨水貯留槽４１０まで開放されているので、昆虫等の侵入を許してしまう。そこで、排出口にメッシュ状の防虫網４２７を取り付けられ、高架水槽の安定水質が保たれている。
【００６６】
第１の雨水貯留槽４１０の上方には、外気温度計４１２が設置されている。外気温度計４１２の測定結果は配線４２３にて制御盤８０１（図８参照）へと送信される。制御盤８０１は、外気温によって、壁面冷却システムの作動を停止や再開を設定することができる。
【００６７】
また、第１の雨水貯留槽４１０の上部には、満水検知手段として電極棒４１３が鉛直方向に突き出て設置されている。電極棒４１３は、この棒の最下部が着水しているか否かで第１の雨水貯留槽４１０の内部が満水状態か否かを識別する。電極棒４１３による識別結果は配線４２３にて制御盤８０１へと送信される。制御盤８０１は、電極棒４１３の先端が第１の雨水貯留槽４１０内で着水している場合は、雨水ポンプ５１８を停止させ、これ以上の第１の雨水貯留槽４１０への流入を防ぐ。
【００６８】
また、第１の雨水貯留槽４１０の内部には、液温検知手段として水温計４１３が設置されている。水温計４１３は、第１の雨水貯留槽４１０内の水温を測定する。水温計４１３の測定結果は配線４２３にて制御盤８０１へと送信される。制御盤８０１は、水温が異常に高温になっている場合や、逆に０度近くになり凍結の恐れがある場合は、壁面冷却システムの作動を一時停止させる。たいていは、夏場で２６℃〜４０℃、冬場で５℃〜１５℃が作動範囲である。
【００６９】
さらに、第１の雨水貯留槽４１０の内部には、渇水検知手段として電極棒４１５が鉛直方向に突き出て配置されている。電極棒４１５は、この棒の最下部が着水しているか否かで第１の雨水貯留槽４１０の内部が渇水状態か否かを識別する。電極棒４１５による識別結果は配線４２３にて制御盤８０１へと送信される。制御盤８０１は、電極棒４１５の最下部が第１の雨水貯留槽４１０内で着水していない場合には、雨水ポンプ５１８を始動させ、第１の雨水貯留槽４１０が満水になるまで水を補給する。
【００７０】
第１の雨水貯留槽４１０の最下部には、清掃用水抜き管４１７が連結されており、水抜き管４１７には、水抜き弁４１６が設置されている。水抜き弁４１６は、定期的な槽内清掃や、異常寒波による凍結の恐れがある場合に開かれ、第１の雨水貯留槽４１０内の雨水が排出される。そのため、通常は水抜き弁４１６が「閉」の状態に設定されている。清掃用水抜き管４１７を使用することにより、定期的な槽内清掃や、異常寒波による凍結の恐れがある場合、第１の雨水貯留槽４１０内の雨水が排出される。
【００７１】
清掃用水抜き管４１７の側方には、別のＬ字状流出本管４１８が連結されている。流出本管４１８の水平部分には、２本の流出管６０３，７１０が連結されている。流出本管４１８および２本の流出管６０３，７１０は、本発明に係る壁面冷却システムである「壁面打ち水」、「屋上水盤」、「室外機散水」に必要な雨水を流出させるための管である。
【００７２】
高架水槽が設置されていた建物の場合、流出本管４１８は建物の水道に直結されていた。しかし、増圧ポンプへと給水方式が変わる過程で、流出本管４１８は不要となっていた。これを３穴ヘッダーに加工すると、既存の流出本管を再利用することができる。流出本管４１８の口径は、それぞれの必要水量にもよるが、おおよそ、φ３０〜φ７５くらいが妥当である。
【００７３】
流出本管４１８には、ゲートバブル４１９が設置されている。ゲートバルブ４１９は、「壁面打ち水システム」のメンテナンス時に「閉」にされるが、通常は「開」の状態である。
【００７４】
さらに、流出本管４１８のゲートバルブ４１９の下流側には壁面打ち水用電磁弁４２０が設置されている。
【００７５】
電磁弁４２０は、配線４２３を介して制御盤８０１に電気的に接続され、制御盤８０１により制御される。
【００７６】
壁面打ち水用電磁弁４２０は、制御盤８０１から送られる電気信号によって弁が自動開閉する。例えば、制御盤８０１にて「開始時刻８：００」、「放水ピッチ一時間おき」、「放水時間５分」と設定されていれば、その設定条件に従って弁が自動で「開」となり、それ以外は「閉」となる。
【００７７】
壁面打ち水用電磁弁４２０の更に下流側には、放水用ヘッダー４２４が取り付けられている。放水用ヘッダー４２４は、壁面打ち水用シャワーヘッド４２５を取り付けるための有孔管である。パスカルの原理により、理論上どの孔にも均等に水圧がかかるように構成されている。放水用ヘッダー４２４の材質は、「錆びないもの」、「外観が良いもの」であれば鋼管でもビニル管でもよい。壁面打ち水用シャワーヘッド４２５の放水部分には、直径０．５mm程度の無数の穴が開いており、そこから壁面へと放水できるようになっている。穴のピッチは第１の雨水貯留槽４１０からの水圧やその建物の環境によるが、通常は約２００mmから３００mm間隔にて設置される。
【００７８】
建物によってはバルコニーや出窓が突き出しているところがあり、シャワー放水だと、その面は避けて流れてしまう。その面をカバーするため、必要箇所に適宜、壁面打ち水用スプレーガン４２６が設置され、霧状に放水されるように構成されている。
【００７９】
第２の雨水貯留槽（受水槽）廻り：５００
建物３０９には、通常、雨樋としてドレインパイプ５０１が配管されている。ドレインパイプ５０１は、たいてい、建物の四隅から立下り、屋上、各バルコニー、階段等に雨水排水口が設けられている。このドレインパイプ５０１を第２の雨水貯留槽５０７の天井の高さで一本に連結し、一定の勾配で第２の雨水貯留槽５０７に注ぎ込むことにより雨水を確保することができる。
【００８０】
ドレインパイプ５０１の先端部には、ＳＵＳ製のゴミ除去網５０２が設置されている。ゴミ除去網５０２は、ドレインパイプ５０１より第２の雨水貯留槽５０７へ流入する雨水から、落葉等の比較的に大きなゴミを除去する。
【００８１】
第２の雨水貯留槽５０７は、元は、上水を貯水する目的で存在していた。しかし、高架水槽と同様、増圧ポンプへと給水方式が変わる過程で不要となる。これを撤去するとなると、莫大な撤去解体費がかかるため、たいていは、機能停止のまま放置してしまうことが多い。また、材質がＦＲＰのため、撤去処分するも、その処分方法は、産廃業者に委託して、埋め立てされてしまう。また、他の建物で再利用する方法もあるが、我が国では、飲用に関わる製品には新品を好む傾向があり、清掃をして再利用したというケースは皆無である。今回の発明では、処分しようにも出来ないこの受水槽を第２の雨水貯留槽として有効に利用することができる。この場合、第２の雨水貯留槽５０７の表面に「雨水貯留槽」のシール５０８を貼付することが望ましい。もともと、第２の雨水貯留槽５０７が上水（飲用可能）を一時貯水するものだったため、雨水（飲用不可）に切り替わった事情を知らない者たちに注意を促すためである。
【００８２】
また、第２の雨水貯留槽５０７の上部には、満水検知手段として電極棒５０３が鉛直方向に突き出て設置されている。電極棒５０３は、この棒の最下部が着水しているか否かで第２の雨水貯留槽５０７の内部が満水状態か否かを識別する。電極棒５０３による識別結果は配線４２３にて制御盤８０１へと送信される。制御盤８０１は、電極棒５０３の先端が第２の雨水貯留槽５０７内で着水している場合は、渇水時用補給水が自動的に停止し、これ以上の第２の雨水貯留槽５０７への流入を防ぐ。
【００８３】
さらに、第２の雨水貯留槽５０７の内部には、渇水検知手段として電極棒５０４が鉛直方向に突き出て配置されている。電極棒５０４は、この棒の最下部が着水しているか否かで第２の雨水貯留槽５０７の内部が渇水状態か否かを識別する。電極棒５０４による識別結果は配線４２３にて制御盤８０１へと送信される。制御盤８０１は、電極棒５０４の最下部が第２の雨水貯留槽５０７内で着水していない場合には、満水になるまで渇水時用補給水が自動的に流入し続ける。
【００８４】
第２の雨水貯留槽５０７は、その下方に２基の雨水ポンプ５１８が設置され、雨水ポンプ５１８を介して雨水揚水管４０１に連結されている。前述したように、雨水揚水管４０１は、雨水ポンプ５１８より送られた雨水を第１の雨水貯留槽４０８に流入させるための管である。
【００８５】
受水槽には２基の圧送ポンプが設置される場合が多い。これは、１基が故障しても、もう１基で、運転が出来るようにし、断水を少しでも無くすためである。受水槽に圧送ポンプが設置されている場合、圧送ポンプを雨水ポンプ５１８として利用できる。既設受水槽に通常使用されていた圧送ポンプは、９０％以上が「多段渦巻ポンプ」である。「多段渦巻ポンプ」は、羽根車の回転による遠心力によって圧力を得ることが出来る。
【００８６】
近年「増圧ポンプ」の普及で、このポンプも受水槽と共にそのまま放置されていることが多い。また、２基の圧送ポンプを産廃として処分するも、かなりの費用が掛かる。また、他の建物で再利用する方法もあるが、我が国では、飲用に関わる製品には新品を好む傾向があり、清掃をして再利用したというケースは殆ど無い。既設受水槽に圧送ポンプが設置されている場合、この優れた機能を持つ圧送ポンプを雨水ポンプ５１８として転用し、飲用水ではなく、雨水を揚げることで復活させることができる。
【００８７】
また、第２の雨水貯留槽５０７には、補給手段として、公営の水道本管に連結された渇水時用補給水栓５０９と電磁弁５１０が設置されている。渇水時用補給水栓５０９は、晴天が続く等、貯留した雨水が枯渇してきた場合、一時的に自治体が管理運営する公営水道を注入することにより、安定的に作動可能である。公営水道の代わりに井戸水でも代用が出来ることはいうまでもない。電磁弁５１０は、制御盤８０１から送られる電気信号によって弁が自動開閉する。この電磁弁５１０は、制御盤８０１により制御される。具体的には、電磁弁５１０は、電極棒５０４の下端部が着水していないと、自動的に注水する為に「開」になり、電極棒５０３の下端部が着水すると、自動的に停止する為に「閉」になる。これにより、第２の雨水貯留槽５０７は常に満水状態となり、いつでも使用可能な状態になる。    
【００８８】
電磁弁５１０と公営水道管との間には、ゲートバルブ５１１が設置されている。ゲートバルブ５１１は、第２の雨水貯留槽５０７や電磁弁５１０のメンテナンス時に使用される。例えば、ゲートバルブ５１１は、通常「開」の状態であるが、主に電磁弁５１０の交換時に「閉」にされる。
【００８９】
第２の雨水貯留槽５０７の上部には、オーバーフロー管５１２が連結されている。オーバーフロー管５１２は、本発明に係る壁面冷却システムの故障等により、ボールタップ等で流入を停止出来なかった場合、このオーバーフロー管５１２で、一時的に排出する。排出された雨水は、格子桝５１９に流出し、下水道本管５２０へと流れる。なお、オーバーフロー管５１２には、ゲートバルブが無く、第２の雨水貯留槽５０７まで開放されているので、昆虫等の侵入を許してしまう。そこで、排出口にメッシュ状の防虫網５１７を取り付け、第２の雨水貯留槽５０７の安定水質が保たれている。
【００９０】
第２の雨水貯留槽５０７の最上部（天井部）には、水栓用タッピング５１３が設置されている。水道本管１０１に連結された渇水時用補給水栓５０９を第２の雨水貯留槽５０７に直接連結すると、バキューム現象を起こし、水道本管１０１に雨水が流入する危険性がある。そのため、吐水空間（水栓が雨水面に着水しないよう一定の空間）を確保しなければならない。タッピング５１３を設置すると、吐水空間が確保される。この場合、吐水空間の隙間から、ゴミや落葉が侵入する可能性があるので、ここにも「ゴミ除去網」を設置することが望ましい。
【００９１】
前述したように、「ゴミ除去網」を通した雨水は、第２の雨水貯留槽５０７で貯留されるが、一部、砂塵や埃が残留してしまう。こうした砂塵や埃は、時間と共に重力で水槽底部に蓄積される。そのため、異物排除手段としてＳＵＳ製のカサアゲ装置５１４（図９参照）が設置されている。カサアゲ装置５１４を設置することにより、底面から一定の距離（例えば１０ｃｍ）だけ上方の位置から、良質な雨水を雨水ポンプ５１８に送ることができる。第２の雨水貯留槽５０７の底部に蓄積された砂塵や埃は、定期的なメンテナンス時に清掃し処分される。
【００９２】
第２の雨水貯留槽５０７の下方には、排出手段として水抜き弁５１５が水抜き管５１６を介して設置されている。水抜き弁５１５は、定期的な槽内清掃や、異常寒波による凍結の恐れがある場合、第２の雨水貯留槽５０７内の雨水を排出する。そのため、水抜き弁５１５は、通常「閉」の状態である。
【００９３】
前述したとおり、故障等により、ボールタップ等で流入を停止出来なかった場合、オーバーフロー管５１２を通じ、余分な雨水を受ける為に、格子桝５１９が設置されている。格子桝５１９に流入した雨水は、下水道本管５２０へ流される。
【００９４】
近年、下水道終末処理施設では下水処理量が許容を上回る傾向にある。降り注いだ雨水を、ただ下水道本管５２０にタレ流していい時代は終息を迎える。これからの時代は、自己の敷地で処理（浸透・貯留）していくことを考えなければならない。そのような時代の要請に合致したシステムである。
【００９５】
これらの満水検知用電極棒５０３，渇水検知用電極棒５０４，電磁弁５１０は、配線４２３を介して制御盤８０１に電気的に接続され、制御盤８０１により制御される。
【第２実施形態：屋上水盤システム】
【００９６】
図６は、本発明の第２実施形態に係る屋上水盤システムの概要を示す側面図、図７は、本発明の第２実施形態に係る室外機散水システムの概要を示す側面図である。
【００９７】
本発明の第２実施形態に係る屋上水盤システムは、
上部から雨水（液体）を下方に排出する排水口（排出口）を備えた建物３０９を冷却するシステムであって、
建物の上部より高い位置に置かれ雨水（液体）を貯留する第１の雨水貯留槽４１０（第１貯留手段）と、
第１の雨水貯留槽４１０（第１貯留手段）より下方に置かれ、排水口（排出口）を含む平面で底面を形成し、底面上に雨水（液体）を貯留する屋上水盤６０８（第２貯留手段）と、
排水口（排出口）に設置され、雨水（液体）の排出位置を高くするかさあげ装置６０２（液位上昇手段）と、
第１の雨水貯留槽４１０（第１貯留手段）に貯留された雨水（液体）を屋上水盤６０８（第２貯留手段）に向けて流出する流出管６０３（流出手段）と、
流出管６０３（流出手段）により流出される雨水（液体）の流量を制御するゲートバルブ６０４及び水盤用電磁弁６０５（第１流量制御手段）と、
水盤用電磁弁６０５（第１流量制御手段の一部）を制御する制御盤８０１（システム制御手段）と、
を更に備え、
制御盤８０１（システム制御手段）は、水盤用電磁弁６０５（第１流量制御手段の一部）を制御することにより、屋上水盤６０８（第２貯留手段）の底面に雨水（液体）の膜を形成することを特徴する。
【００９８】
屋上水盤
以下、図６を参照して、本発明の第２実施形態に使用可能な屋上水盤の一実施例を説明する。
【００９９】
建物は、上部に第１の雨水貯留槽４１０が設置され、ドレインパイプ６０１が配管されている。ドレインパイプ６０１は、通常、建物の四隅から立下り、屋上、各バルコニー、階段等に雨水排水口が設けられている。図６には、屋上の雨水を除去するために配管された一例を表示している。排水口には、カサアゲ装置６０２が設置され、排水位置が高くなっている。カサアゲ装置６０２は、屋上の排水口に設置することで排水位置が数ｃｍ上昇し、その上昇分だけ水を張ることができる。屋上に蓄えられた水は、「水盤」を形成する。カサアゲ装置６０２が無い場合、従来のとおり、屋上に降り注いだ雨水が、なだらかな勾配によって自然流下し、常に乾燥状態になる。今回の発明は、こうした乾燥状態が続く屋上スラブ（床コンクリート）が、夏場の直射日光により蓄熱されるのを、水盤によって蓄熱しづらくする。この屋上水盤システムは、打ち水効果と同様、気化熱を奪い建物を冷やす効果がある。使用する水は、蓄えられた雨水を利用するので、同時に雨水流出抑制に繋がる。
【０１００】
第１の雨水貯留槽４１０の下部に連結された流出本管４１８の一部から屋上水盤用流出管６０３が下方に分岐されている。屋上水盤用流出管６０３は、「屋上水盤」に必要な雨水を流出させるための管である。いままでは、この管から建物の水道に直結されていたが、増圧ポンプへと給水方式が変わる過程で不要となっていた。
【０１０１】
屋上水盤用流出管６０３には、流量制御手段として、ゲートバルブ６０４と屋上水盤用電磁弁６０５が設置されている。ゲートバルブ６０４は、通常は「開」の状態であるが、「屋上水盤」システムのメンテナンス時に「閉」にされる。屋上水盤用電磁弁６０５は、制御盤８０１から送られる電気信号によって弁が自動開閉される。例えば、制御盤８０１にて「水張り時刻８：００」と設定されていれば、その時刻に弁が自動で「開」になる。
【０１０２】
屋上に形成された屋上水盤６０８には、液位検知手段として、電極棒を内蔵した電極ボックス６０７が設置されている。電極ボックス６０７に内蔵されている電極棒（図示せず）が着水しているか否かで水が蓄えられているか否かを識別する。識別結果は配線４２３にて制御盤８０１に送信される。電極（図示せず）が着水していない場合は、屋上水盤６０８が一定の水位になるまで屋上水盤用電磁弁６０５が作動し続ける。雨天の場合は、その雨水によって水位が上昇し、着水することになるので、その日は作動しない。
【０１０３】
屋上水盤６０８は、前述したように、カサアゲ装置６０２により形成されるが、例えば、水位が３０mmで、屋上の単位面積１ｍ2あたり０．０３トンになるように水を蓄えることができる。この程度の水量は、建物に対し、ほとんど悪影響のない比重といえる。また水量にして３リットルになる。東京都の場合、一日中、日光にさらされても、だいたい５００デシリットルの蒸発量なので、容易に水盤を切ることはない。また、水位が下がれば、制御盤８０１が自動的に補給するので、シーズン中は常に安定した冷却効果を得ることができる。
【０１０４】
排水口に連結された排水管には、屋上水盤排水用電磁弁６０９が連結されている。屋上水盤排水用電磁弁６０９は、制御盤８０１から送られる電気信号によって弁が自動開閉するように構成されている。屋上水盤排水用電磁弁６０９は常時（閉）に設定されているが、制御盤８０１にてあらかじめセットした時間になると（開）になるように制御されている。屋上水盤排水用電磁弁６０９が開かれると、屋上水盤６０８の水が排水される。排水された水は既設雨といを通って、再び第２の雨水貯留槽５０７に入り、循環される（図３参照）。
【０１０５】
屋上水盤用電磁弁６０５、電極ボックス６０７、屋上水盤用電磁弁６０９は、配線４２３を介して制御盤８０１に電気的に接続され、制御盤８０１により制御される。
【０１０６】
室外機散水
以下、図７を参照して、本発明の第２実施形態に使用可能な室外機散水システムの一実施例を説明する。
【０１０７】
第１の雨水貯留槽４１０の下部に連結されたクランク状流出本管４１８の水平部分から、室外機散水用流出管７１０が分岐されている。流出管７１０には、流量制御手段として、ゲートバルブ７０７と電磁弁７０８が設置されている。ゲートバルブ７０７は、「室外機散水システム」のメンテナンス時に「閉」に設定されるが、通常は「開」の状態である。電磁弁７０８は、制御盤８０１から送られる電気信号によって弁が自動開閉する。例えば、制御盤８０１にて「放水ピッチ毎１０分」、「放水時間  ５分」と設定されていれば、その時刻に電磁弁７０８の弁が自動で「開」になる。
【０１０８】
流出管７１０に設置された電磁弁７０８の下流側には、室外機の設置場所の数に等しい流出支管７０６が連結されている。図７には、一例として、３台の室外機が表示されているが、室外機の数、設置場所、設置方向は、建物により区々である。本発明の一実施形態に係る室外機散水システムは、配管を利用して散水する為、あらゆる建物に適用可能である。
【０１０９】
例えば、流出管７１０の最上流側に連結された室外機散水用流出支管７０６は、屋上に設置された室外機７０２（左側面を図示）に散水する為に使用されている。室外機散水用流出支管７０６は、「室外機散水システム」に必要な雨水を流出させるための管である。いままでは、流出支管７０６から建物の水道に直結されていたが、増圧ポンプへと給水方式が変わる過程で不要となっていた。エアコン室外機７０２は、一般的な建物に設置される一般的なものが一例として図７に示されている。この流出支管７０６の下流側には、ゲートバルブ７０５と散水用シャワーヘッド７０４が取り付けられている。ゲートバルブ７０５は、「室外機散水システム」のメンテナンス時に「閉」にされるが、通常は「開」の状態である。散水用シャワーヘッド７０４は、ゲートバルブ７０５の下流側に設置され、室外機７０２のアルミフィンに対し散水する機能を有する。そのため、散水用シャワーヘッド７０４の散水部分には、直径０．５mm程度の無数の穴が開けられている。エアコンは、室外機のフィンによって放熱しているため、フィンに水を散布すると気化（打ち水効果）によって冷却効果が上がり、冷房の効きが急激に良くなる。フィンに散布された水は、５〜１０分程度で蒸発するため、少なくとも１０分おきに噴霧すると効果的である。
【０１１０】
流出管７１０は、流出支管７０６の分岐点より更に下流側部分が建物に沿って他の室外機７０２（正面部を図示）まで配管されている。流出支管７０６の先端部には、ゲートバルブ７０３と散水用シャワーヘッド７０１が取り付けられている。ゲートバルブ７０３は、「室外機散水システム」のメンテナンス時に「閉」にされるが、通常は「開」の状態である。散水用シャワーヘッド７０１は、ゲートバルブ７０３の下流側に設置され、室外機７０２のアルミフィンに対し散水する機能を有する。
【０１１１】
屋上水盤用電磁弁７０８は、制御盤８０１に配線４２３を介して接続され、制御盤８０１により制御される。
【０１１２】
上記実施形態に係る屋上水盤では、電磁弁を流出支管７０１に設置しているが、流出支管７０１から分岐される個々の室外機に配管される流出管に設置すれば、個々の室外機を制御盤８０１により制御することができる。
【０１１３】
制御盤
図８は、本発明の第１実施形態および第２実施形態に使用可能な制御盤の一例を示す。制御盤８０１は、配線４２３により接続されている。制御盤８０１は、例えば、主時計８０２，外気温表示部８０３，水温表示部８０４、主電源部８０５、緊急停止ボタン８０６、屋上水盤用制御盤部８０７、屋上水盤システムランプ８０８、手動水張りボタン８０９、手動水抜きボタン８１０、自動・手動切替えスイッチ８１１、水張りタイマー８１２、水抜きタイマー８１３、壁面打ち水制御盤部８１４、壁面打ち水システムランプ８１５、手動放水ボタン８１６、手動停止ボタン８１７、自動・手動切替えスイッチ８１８、開始時刻タイマー８１９、終了時刻タイマー８２０、放水ピッチ設定部８２１、放水時間設定部８２２、室外機散水制御盤部８２３、室外機散水システムランプ８２４、手動散水ボタン８２５、手動停止ボタン８２６、自動・手動切替えスイッチ８２７、開始時刻タイマー８２８、終了時刻タイマー８２９、散水ピッチ設定部８３０、放水時間設定：８３１、高架水槽満水ランプ８３２、高架水槽渇水ランプ８３３、ポンプ作動ランプ８３４、ポンプ始動ボタン８３５、ポンプ停止ボタン８３６、受水槽満水ランプ８３７、受水槽渇水ランプ８３８、補給水始動ボタン８３９を含んで構成される。
【０１１４】
制御盤８０１は、各システムから送られる配線４２３や基盤等を収納する本体であり、例えばプラスチック製である。制御盤８０１の取付け箇所は、屋内でも屋外でも可能であるがが、雨が良く当たる場所は避けるのが望ましい。
【０１１５】
主時計８０２は、電波にて自動調整するデジタル式時計である。この時計の時刻で、「屋上水盤システム」「壁面打ち水システム」「室外機散水システム」それぞれの開始停止を行えるよう連動されている。
【０１１６】
外気温表示部８０３は、図４に示された温度計４１２から送信された測定結果情報に基づき、温度が表示される。外気温が低い場合など、各種システムを停止する場合に使用される。
【０１１７】
水温表示部８０４は、図４に示された水温計４１４から送信された測定結果情報に基づき、温度が表示される。水温が低い場合など、各種システムを停止する場合に使用される。
【０１１８】
主電源部８０５は、制御盤８０１の主電源用メインスイッチを含む。主電源部８０５は、漏電遮断機能付きであることが望ましい。
【０１１９】
緊急停止ボタン８０６は、システムが暴走、もしくは、やむを得ずシステムを停止しなければならない場合、システムを緊急停止させることができる。
【０１２０】
屋上水盤制御部８０７には、屋上水盤システムに関連する機能が集約されている。屋上水盤システムに関連する機能には、例えば、屋上水盤システムランプ８０８、手動水張りボタン８０９、手動水抜きボタン８１０、自動・手動切替えスイッチ８１１、水張りタイマー８１２、水抜きタイマー８１３が含まれる。もし、屋上水盤システムを採用しない場合は、屋上水盤制御部８０７は不要である。
【０１２１】
屋上水盤システムランプ８０８は、図６に示された屋上水盤用電磁弁６０５が「開」の時に点灯する。手動水張りボタン８０９は、後述する手動切替えスイッチ８１１が「手動」に設定されている時、手動水張りボタン８０９を押すと、無条件で屋上水盤用電磁弁６０５が「開」となる。手動水抜きボタン８１０は、手動切替えスイッチ８１１が「手動」に設定されている時、手動水抜きボタン８１０を押すと、無条件で屋上水盤用電磁弁６０５が「閉」となり、また図６に示された屋上水盤排水用電磁弁６０９が「開」となる。自動・手動切替えスイッチ８１１は、この屋上水盤システムの動作状態（自動・手動）を切り替える。水張りタイマー８１２は、手動切替えスイッチ８１１が「自動」に設定されている時、ここに時刻を設定すると、その時間に屋上水盤用電磁弁６０５が「開」となる。水張りタイマー８１２の右脇の時刻調整ボタンで水張り時刻を設定することができる。したがって、屋上水盤用電磁弁６０５は、制御盤８０１から送られる電気信号によって弁が自動開閉する。例えば、制御盤８０１にて「水張り時刻８：００」と設定されていれば、その時刻に弁が自動で「開」となる。
水抜きタイマー８１３は、手動切替えスイッチ８１１が「自動」に設定されている時、ここに時刻を設定すると、その時間に、図６に示された屋上水盤排水用電磁弁６０９が「開」となる。水抜きタイマー８１３の右脇の時刻調整ボタンで水抜き時刻を設定することができる。
【０１２２】
壁面打ち水制御部８１４には、壁面打ち水システムに関連する機能が集約されている。壁面打ち水システムに関連する機能には、例えば、盤部壁面打ち水システムランプ８１５、手動放水ボタン８１６、手動停止ボタン８１７、自動・手動切替えスイッチ８１８、開始時刻タイマー８１９、終了時刻タイマー８２０、放水ピッチ設定部８２１、放水時間設定部８２２が含まれている。もし、壁面打ち水システムを採用しない場合は、壁面打ち水制御部８１４は不要である。
【０１２３】
壁面打ち水システムランプ８１５は、：図４に示された壁面打ち水用電磁弁４２０が「開」の時、点灯する。手動放水ボタン８１６は、後述する自動・手動切替えスイッチ８１８が「手動」に設定されている時、手動放水ボタン８１６を押すと、無条件で図４に示された壁面打ち水用電磁弁４２０が「開」となる。手動停止ボタン８１７は、：自動・手動切替えスイッチ８１８が「手動」に設定されている時、手動停止ボタン８１７を押すと、無条件で壁面打ち水用電磁弁４２０が「閉」となる。自動・手動切替えスイッチ８１８は、この壁面打ち水システムの動作状態（自動・手動）を切り替える。開始時刻タイマー８１９は、自動・手動切替えスイッチ８１８が「自動」に設定されている時、ここに時刻を設定すると、その時間以降、このシステムが作動し始める。開始時刻タイマー８１９の右脇の時刻調整ボタンで開始時刻を設定することができる。終了時刻タイマー８２０は、自動・手動切替えスイッチ８１８が「自動」に設定されている時、ここに時刻を設定すると、その時間以降、このシステムは作動しなくなる。終了時刻タイマー８２０の右脇の時刻調整ボタンで終了時刻を設定することができる。放水ピッチ設定部８２１は、：自動・手動切替えスイッチ８１８が「自動」に設定されている時、ここに時間を設定すると、その時間ごとに壁面打ち水用電磁弁４２０が「開」となる。放水ピッチ設定部８２１の右脇の時刻調整ボタンで放水ピッチを設定することができる。放水時間設定部８２２は、：自動・手動切替えスイッチ８１８が「自動」に設定されている時、ここに時間を設定すると、その時間、壁面打ち水用電磁弁４２０が「開」となり、壁面に放水し続ける。放水時間設定部８２２の右脇の時刻調整ボタンで放水時間を設定することができる。
【０１２４】
室外機散水制御部８２３には、室外機散水システムに関連する機能が集約されている。室外機散水システムに関連する機能には、例えば、室外機散水システムランプ８２４、手動散水ボタン８２５、手動停止ボタン８２６、自動・手動切替えスイッチ８２７、開始時刻タイマー８２８、終了時刻タイマー８２９、散水ピッチ設定部８３０、放水時間設定：８３１が含まれている。もし、室外機散水システムを採用しない場合は、室外機散水制御部８２３が不要になる。
【０１２５】
室外機散水システムランプ８２４は、図７に示された室外機散水用電磁弁７０８が「開」の時、点灯する。手動散水ボタン８２５は、後述する自動・手動切替えスイッチ８２７が「手動」に設定されている時、このボタンを押すと、無条件で室外機散水用電磁弁７０８が「開」となる。手動停止ボタン８２６は、自動・手動切替えスイッチ８２７が「手動」に設定されている時、このボタンを押すと、無条件で室外機散水用電磁弁７０８が「閉」となる。自動・手動切替えスイッチ８２７は、室外機散水システムの動作状態（自動・手動）を切り替える。開始時刻タイマー８２８は、自動・手動切替えスイッチ８２７が「自動」に設定されている時、ここに時刻を設定すると、その時間以降、室外機散水システムが作動し始める。開始時刻タイマー８２８の右脇の時刻調整ボタンで開始時刻を設定することができる。終了時刻タイマー８２９は、自動・手動切替えスイッチ８２７が「自動」に設定されている時、ここに時刻を設定すると、その時間以降、室外機散水システムは作動しなくなる。終了時刻タイマー８２９の右脇の時刻調整ボタンで終了時刻を設定することができる。散水ピッチ設定部８３０は、自動・手動切替えスイッチ８２７が「自動」に設定されている時、ここに時間を設定すると、その時間ごとに室外機散水用電磁弁７０８が「開」となる。散水ピッチ設定部８３０の右脇の時刻調整ボタンで散水ピッチを設定することができる。放水時間設定部８３１は、自動・手動切替えスイッチ８２７が「自動」に設定されている時、ここに時間を設定すると、その時間、室外機散水用電磁弁７０８が「開」となり、室外機に散水し続ける。放水時間設定部：８３１の右脇の時刻調整ボタンで放水時間を設定することができる。したがって、室外機用電磁弁７０８は、制御盤８０１から送られる電気信号によって弁が自動開閉する。例えば、「開始時刻８：００」、「散水ピッチ一時間おき」、「散水時間５分」と設定されていれば、上記の「壁面打ち水用電磁弁」と同様、その設定条件に従って弁が自動で「開」となり、それ以外は「閉」となる。
【０１２６】
制御盤８０１の下半分には、第１の雨水貯留槽４１０と第２の雨水貯留槽５０７を制御する機能が集約されている。雨水貯留槽４１０，５０７を制御する機能には、例えば、第１の雨水貯留槽満水ランプ８３２、第１の雨水貯留槽渇水ランプ８３３、ポンプ作動ランプ８３４、ポンプ始動ボタン８３５、ポンプ停止ボタン８３６、第２の雨水貯留槽満水ランプ８３７、第２の雨水貯留槽渇水ランプ８３８、補給水始動ボタン８３９が含まれる。
【０１２７】
第１の雨水貯留槽満水ランプ８３２は、図４に示された電極棒４１３の最下部が着水していると点灯する。第１の雨水貯留槽満水ランプ８３２は、第１の雨水貯留槽４１０が使用可能状態であることを示す。第１の雨水貯留槽渇水ランプ８３３は、図４に示された電極棒４１５の最下部が着水していないと点灯する。第１の雨水貯留槽渇水ランプ８３３の点灯により、第１の雨水貯留槽４１０内に十分な雨水が蓄えられていないことが分かる。ポンプ作動ランプ８３４は、雨水ポンプ５１８が作動している場合に点灯する。ポンプ始動ボタン８３５は、雨水ポンプ５１８を強制的に作動させたい時に押される。雨水ポンプ５１８の試運転などに使用可能である。ポンプ停止ボタン８３６は、雨水ポンプ５１８を強制的に停止させたい時に押す。主に雨水ポンプ５１８の試運転などに使用可能である。第２の雨水貯留槽満水ランプ８３７は、：図５に示された電極棒５０３の最下部が着水していると点灯する。第２の雨水貯留槽５０７が使用可能状態であることを示す。第２の雨水貯留槽渇水ランプ８３８は、：図５に示された電極棒５０４の最下部が着水していないと点灯する。第２の雨水貯留槽渇水ランプ８３８の点灯により、第２の雨水貯留槽５０７内に十分な雨水が蓄えられていないことが分かる。補給水始動ボタン８３９は、：図５に示された電磁弁５１０を強制的に「開」にしたい時に押される。
【０１２８】
カサアゲ装置（丸型）
図９は、本発明の第１実施形態および第２実施形態に使用可能なカサアゲ装置の一例を示す。
【０１２９】
以下、図９（Ａ）〜（Ｃ）を参照して、本発明の第１実施形態に使用可能な異物除去手段としてカサアゲ装置５１４の一例を説明する。カサアゲ装置５１４は、図５に示されるように、第２の雨水貯留槽５０７内に蓄えられた雨水から異物を除去する為に使用されている。カサアゲ装置５１４は、例えば、目皿９０１、つば９０２、取外し用フック掛９０３、本体側面部９０４、アジャスター９０５を含んで構成されている。
【０１３０】
目皿９０１は、落ち葉等が入り込まないよう、比較的大きな異物を除去することができる。目皿９０１は、主に、金属にメッキ加工が施されたものを使用可能であるが、たいした重量が掛かるわけではないので、プラスチックでも製造可能である。
【０１３１】
つば９０２は、排水口の廻りに密着し、この厚さ分だけ排水位置が嵩上げされる。
【０１３２】
取外し用フック掛９０３は、２箇所に設けられている。後述する本体側面部９０４を排水管に呑み込ませた後で取り外す場合、このフック掛の穴に針金等を通して、持ち上げればよい。取外し用フック掛９０３は、ゴムで製造可能である。
【０１３３】
本体側面部９０４は、排水口に挿入される部分である。本体側面部９０４の径は排水管の内径に合致しているので、排水管と本体側面部９０４が密着する。滑剤（石鹸水等）を本体側面部９０４の外周部に塗布すると、本体側面部９０４を排水管に入れ易くなる。本体側面部９０４が長すぎる場合には、長い部分をカットしてもよい。本体側面部９０４はゴムで製造可能である。
【０１３４】
アジャスター９０５は、本体側面部９０４を差し込めば、いわゆる「つば」部分が単純に厚くなる。したがって、アジャスター９０５を使用することにより、嵩上げ量を調節することが出来る。アジャスター９０５は、長さが例えば５ｍｍ、１０ｍｍ、５０ｍｍと異なるものを使用することにより、単独で或いは組み合わせることにより、所望の長さに嵩上げ量を変更可能である。
【０１３５】
カサアゲ装置（角型）
以下、図９（Ｄ）〜（Ｈ）を参照して、本発明の一実施形態に使用可能な異物除去手段としてカサアゲ装置６０２の一例を説明する。カサアゲ装置６０２は、図６に示されるように、屋上水盤６０８内に蓄えられた雨水から異物を除去する為に使用されている。カサアゲ装置６０８は、例えば、目皿９０６、つば９０７、取外し用フック掛９０８、本体側面部９０９、角型アタッチメント９１０、アジャスター９１１を含んで構成されている。
【０１３６】
目皿９０６は、落ち葉等が入り込まないよう、比較的大きな異物を除去することができる。目皿９０６は、主に、金属にメッキ加工が施されたものを使用可能であるが、たいした重量が掛かるわけではないので、プラスチックでも製造可能である。
【０１３７】
つば９０７は、排水口の廻りに密着し、後述するアジャスター９１１を付けることによって、その厚さ分だけ嵩上げされる。
【０１３８】
取外し用フック掛９０８は、２箇所に設けられている。後述する本体側面部９０９を排水管に呑み込ませた後で取り外す場合、このフック掛の穴に針金等を通して、持ち上げればよい。取外し用フック掛９０８はゴムで製造可能である。
【０１３９】
本体側面部９０９は、後述する角型アタッチメント９１０に挿入される。本体側面部９０９は、外周の大きさが角型アタッチメント９１０の内周の大きさに合致しているので、角型アタッチメント９１０と密着する。滑剤（石鹸水等）を本体側面部９０９の外周部に塗布すると、本体側面部９０９を角型アタッチメント９１０に入れ易くなる。本体側面部９０９が長ければ、長い部分をカットしてもよい。本体側面部９０９は、ゴムで製造可能である。
【０１４０】
角型アタッチメント９１０：角型の場合、１０ｃｍ下では普通に排水管（円形）に繋がるため、口元が特殊になる。そのため、一旦、この角型アタッチメント９１０をつけ、その上から、本体側面部９０９を挿入するという二段構えにする。角型アタッチメント９１０は、ゴムで製造可能である。
【０１４１】
アジャスター９１１は、本体側面部９０９を差し込めば、いわゆる「つば」部分が単純に厚くなる。したがって、アジャスター９１１を使用することにより、嵩上げ量を調節することが出来る。アジャスター９１１は、長さが例えば５ｍｍ、１０ｍｍ、５０ｍｍと異なるものを使用することにより、単独で或いは組み合わせることにより、所望の長さに嵩上げ量を変更可能である。
【０１４２】
本発明の第１の実施態様によると、受水槽に貯まった雨水、または、受水漕から汲み上げた水道水をいったん、既設高架水槽に経由、貯水し、建物の壁面に適時で流す。「打ち水」の原理と同様に建物自体に水を流すので、建物内の温度を下げることになる。そのため、エアコンの使用量を抑え込み、電気の消費を下げることが可能になる。さらに、壁面に生じる照り返し等も抑制することにも繋がる。
【０１４３】
本発明の第２の実施態様によると、防水加工を施した建物の屋上にFRPタンクから一定量の水を流し込み、屋上のプール化を図る。この貯めている部分の水が水盤となって、直射日光を避け、また、気化熱によって熱を逃がし、建物内の温度を下げる。
【０１４４】
また、室内のエアコンに対して、外部には、必ず室外機が存在する。ここで、吐き出す熱風もまた、気温を上げる要因のひとつである。そこで、FRPタンクで水源を確保し、室外機自体に散水を行い、吐き出す熱風の温度を下げる。突然の雨や、日照りなど、天候の変化等によっては、FRPタンクから流し込む水量をコントロールする必要がある。その際は、この制御盤を利用して、自動で対応できるシステムを組み込むことが望ましい。
【０１４５】
屋上に水盤を形成するにあたり、防水施工と同時に現状の排水口に特殊な蓋を施すと水盤形成に効果的である。ただし、水盤の厚みをキープするためには、たんなる蓋では無く、一定量までで、水量を止め、それを超えたら排水口へと流れ込む、笠上げ型の蓋を設置するのが望ましい。
【０１４６】
以上、添付図面を参照して本発明の一実施形態を説明したが、本発明は、図面に示された実施形態に限定されるものではない。
【０１４７】
例えば、本発明の第１実施形態では流出機能と放出機能を備えた流出管と放出管を別個に使用しているが、両方の機能を備えた単一の管を使用可能である。重要なことは、第１貯留手段に蓄えられた液体を建物の周縁部に移動させる機能であり、その機能を実現する為の個数、形状、材質は問われない。例えば、１本の管で両方の機能を持たせることも可能である。
【０１４８】
また、本発明の第１実施形態の流量制御手段として電磁弁を使用しているが、電磁弁の他に、放出手段により放出される液体の流量を制御する機能を有するもの（弁、管、堰など）であれば使用可能である。流量の制御とは、流す／流さないという制御の他、流量の増減制御も含む。
【０１４９】
さらに、本発明の第１実施形態が適用される建物の壁面にハイドロテクト（光触媒）を塗布することにより、親水性を高めることができる。ハイドロテクトは、ＴＯＴＯ社から商業的に入手可能である（http://www.toto.co.jp/products/hydro/index.htm）。
【０１５０】
本発明に使用される液体として、例えば消毒剤を混入した液体を使用すれば、建物の壁面を簡単に消毒できる。また、液体として、温水を使用すれば、寒い時期に建物の暖房が可能になる。
【０１５１】
同様に、本発明の第２実施形態の第２貯留手段として第２の雨水貯留槽を使用しているが、その底面にハイドロテクトを塗布してもよい。これを塗布することにより、底面の親水性を高めることができる。
【０１５２】
なお、本発明は使用する液体を変えることにより、簡単に以下のことが実現可能になる。
１）液体→消毒剤
建物全体を消毒する必要が生じたとき、本発明の壁面冷却システムにおいて、液体として消毒液を使用すれば、建物全体の消毒が簡単に行える。
２）液体→温水
建物全体を簡単に暖房することができる。この場合、別途、ボイラーまたは加熱装置が必要になる。
３）液体→消臭剤
建物が設置された場所が悪臭に満ちた環境であれば、建物の壁面に消臭剤を混入した液体を流すことにより、環境の改善に役立つ。
【図面の簡単な説明】
【０１５３】
【図１】図１は、従来の直圧給水方式を使用する典型的な建物を示す側面図である。
【図２】図２は、直圧給水方式を残したまま増圧給水方式を使用する建物を示す側面図である。
【図３】図３は、直圧給水方式を撤去して増圧給水方式を使用する建物を示す側面図である。
【図４】図４は、本発明の第１実施形態に係る壁面打ち水システムに使用可能な第１の雨水貯留槽の一例を示す側面図である。
【図５】図５は、本発明の第１実施形態に係る壁面打ち水システムに使用可能な第２の雨水貯留槽の一例を示す側面図である。
【図６】図６は、本発明の第２実施形態に係る屋上水盤システムの概要を示す側面図である。
【図７】図７は、本発明の第２実施形態に係る室外機散水システムの概要を示す側面図である。
【図８】図８は、本発明の第１実施形態及び第２実施形態に使用可能な制御盤の一例を示す。
【図９】図９は、本発明の第１実施形態および第２実施形態に使用可能なカサアゲ装置の一例を示す。
【符号の説明】
【０１５４】
１００…建物，１０１…水道本管，１０２…公設水道メーター，１０３…圧送ポンプ，１０４…受水槽，１０５…雨水揚水管，１０６…高架水槽，２０８…加圧ポンプ，３０９…建物，４０１…雨水揚水管，４０２…揚水管，４０３…ゲートバルブ，４０４…ゲートバルブ付き大流入管，４０５…ゲートバルブ付きボールタップ，４０６…エア抜き弁メンテナンス用ゲートバルブ，４０７…エア抜き弁，４０８…ボールタップ，４０９…「雨水貯水槽」シール，４１０…第１の雨水貯留槽，４１１…オーバーフロー管，４１２…外気温度計，４１３…電極棒，４１４…水温計，４１５…電極棒，４１６…水抜き弁，４１７…清掃用水抜き管，４１８…流出管，４１９…ゲートバルブ，４２０…壁面打ち水用電磁弁，４２３…配線，４２４…放水用ヘッダー，４２５…壁面打ち水用シャワーヘッド、４２６…壁面打ち水用スプレーガン、４２７…防虫網，５０１…ドレインパイプ，５０２…ゴミ除去網，５０３…電極棒，５０４…電極棒，５０７…第２の雨水貯留槽，５０８…「雨水貯留槽」シール，５０９…渇水時用補給水栓，５１０…電磁弁，５１１…ゲートバルブ，５１２…オーバーフロー管，５１３…水栓用タッピング，５１４…カサアゲ装置，５１５…清掃用水抜き管，５１６…水抜き弁，５１７…防虫網，５１８…雨水ポンプ，５１９…格子桝，５２０…下水本管，６０１…雨樋，６０２…カサアゲ装置，６０３…屋上水盤用流出管，６０４…ゲートバルブ，６０５…屋上水盤用電磁弁，６０６…雨樋，６０７…電極ボックス，６０８…屋上水盤，６０９…屋上水盤排水用電磁弁，７０１…散水用シャワーヘッド，７０２…エアコン室外機，７０３…ゲートバルブ，７０４…散水用シャワーヘッド，７０５…ゲートバルブ，７０６…室外機散水用流出管，７０７…ゲートバルブ，８０１…制御盤，８０２…主時計，８０３…外気温表示部，８０４…水温表示部，８０５…主電源部，８０６…緊急停止ボタン，８０７…屋上水盤用制御部，８０８…屋上水盤システムランプ，８０９…手動水張りボタン，８１０…手動水抜きボタン，８１１…自動・手動切替えタイマー，８１２…水張りタイマー，８１３…水抜きタイマー，８１４…壁面打ち水制御部，８１５…壁面打ち水システムランプ，８１６…手動放水ボタン，８１７…手動停止ボタン，８１８…自動・手動切替えスイッチ，８１９…開始時刻タイマー，８２０…終了時刻タイマー，８２１…放水ピッチ設定部，８２２…放水時間設定部，８２３…室外機散水制御部，８２４…室外機散水システムランプ，８２５…手動散水ボタン，８２６…手動停止ボタン，８２７…自動・手動切替えスイッチ，８２８…開始時刻タイマー，８２９…終了時刻タイマー，８３０…散水ピッチ設定部，８３１…放水時間設定部，８３２…第１の雨水貯留槽満水ランプ，８３３…第１の雨水貯留槽渇水ランプ，８３４…ポンプ作動ランプ，８３５…ポンプ始動ランプ，８３６…ポンプ停止ランプ，８３７…第２の雨水貯留槽満水ランプ，８３８…第２の雨水貯留槽渇水ランプ，８３９…補給水始動ボタン，９０１…目皿，９０２…つば，９０３…取外し用フック掛け，９０４…本体側面部，９０５ａ…アジャスター（５ｍｍ）、９０５ｂ…アジャスター（１０ｍｍ）、９０５ｃ…アジャスター（５０ｍｍ）、９０６…目皿，９０７…つば，９０８…取外し用フック掛け，９０９…本体側面部，９１０…角型アタッチメント，９１１ａ…アジャスター（５ｍｍ）、９１１ｂ…アジャスター（１０ｍｍ）、９１１ｃ…アジャスター（５０ｍｍ）
【図１】
2008144375.tif 000003
【図２】
2008144375.tif 000004
【図３】
2008144375.tif 000005
【図４】
2008144375.tif 000006
【図５】
2008144375.tif 000007
【図６】
2008144375.tif 000008
【図７】
2008144375.tif 000009
【図８】
2008144375.tif 000010
【図９】
2008144375.tif 000011